(57)【要約】【課題】表示領域に表示されている要素を指定する操作を容易にすること。【解決手段】表示手段１０１は、１つ以上の要素を配置した画像を表示部１５の表示領域１５ａに表示する。検出手段１０２は、表示領域１５ａに対する操作を検出する。設定手段１０３は、表示領域１５ａのうち要素が表示されていない背景部の一点を指示点として指し示す操作を含む第１操作が検出手段１０２によって検出された場合に、第１操作の内容に応じて表示領域１５ａの全部又は一部である第１領域を設定する。近接表示手段１０４は、設定手段１０３によって設定された第１領域に表示されている第１要素に関連する要素情報を、第１操作が検出される前の第１要素の位置よりも指示点に近接した位置に表示する。要素処理手段１０５は、要素情報に対する第２操作が検出手段１０２によって検出された場合に、第１要素に対して第２操作に対応する処理を実行する。【選択図】図３
2014085792.tif 000002
【特許請求の範囲】
【請求項１】
１つ以上の要素を配置した画像を表示装置の表示領域に表示する表示手段と、
前記表示領域に対する操作を検出する検出手段と、
前記表示領域のうち前記要素が表示されていない背景部の一点を指示点として指し示す操作を含む第１操作が前記検出手段によって検出された場合に、前記第１操作の内容に応じて前記表示領域の全部又は一部である第１領域を設定する設定手段と、
前記設定手段によって設定された第１領域に表示されている第１要素に関連する要素情報を、前記第１操作が検出される前の当該第１要素の位置よりも前記指示点に近接した位置に表示する近接表示手段と、
前記要素情報に対する第２操作が前記検出手段によって検出された場合に、前記第１要素に対して当該第２操作に対応する処理を実行する要素処理手段と
を有する情報処理装置。
【請求項２】
前記設定手段は、前記第１操作が前記指示点を移動させる操作を含む場合に、前記指示点の移動経路の始点の位置と前記指示点の移動方向とに基づいて前記第１領域を設定する請求項１に記載の情報処理装置。
【請求項３】
前記設定手段は、前記第１操作が前記指示点を移動させる操作を含まない場合に、前記表示領域の全部を前記第１領域に設定する請求項１又は２に記載の情報処理装置。
【請求項４】
前記近接表示手段は、前記背景部のうち予め条件が対応付けられた第２領域に前記指示点が位置する場合に、当該条件を満たす前記第１要素に関連する要素情報を、当該第１要素の位置よりも前記指示点に近接した位置に表示する請求項３に記載の情報処理装置。
【請求項５】
前記近接表示手段は、前記表示領域に前記要素が複数表示されており、当該複数の要素のいずれかと前記指示点との距離が閾値以下である場合に、前記指示点との距離が閾値以下である第２要素の属性に対応する前記第１要素に関連する要素情報を、当該第１要素の位置よりも前記指示点に近接した位置に表示する請求項３又は４に記載の情報処理装置。
【請求項６】
前記近接表示手段は、予め定められた規則に従って前記要素情報を前記表示領域に配置する請求項１乃至５のいずれかに記載の情報処理装置。
【請求項７】
前記近接表示手段は、予め定められた条件を満たす前記要素情報の外観を変化させる請求項１乃至６のいずれかに記載の情報処理装置。
【請求項８】
前記近接表示手段は、複数の前記第１操作が行われ、当該複数の第１操作に対応する前記第１要素が重複した場合に、当該複数の第１操作の数に対応する前記要素情報の各々を、前記第１要素の位置よりも当該複数の第１操作の指示点の各々に近接した位置に表示する請求項１乃至７のいずれかに記載の情報処理装置。
【請求項９】
前記表示装置を有する請求項１乃至８のいずれかに記載の情報処理装置。
【請求項１０】
コンピュータを、
１つ以上の要素を配置した画像を表示装置の表示領域に表示する表示手段と、
前記表示領域に対する操作を検出する検出手段と、
前記表示領域のうち前記要素が表示されていない背景部の一点を指示点として指し示す操作を含む第１操作が前記検出手段によって検出された場合に、前記第１操作の内容に応じて前記表示領域の全部又は一部である第１領域を設定する設定手段と、
前記設定手段によって設定された第１領域に表示されている第１要素に関連する要素情報を、前記第１操作が検出される前の当該第１要素の位置よりも前記指示点に近接した位置に表示する近接表示手段と、
前記要素情報に対する第２操作が前記検出手段によって検出された場合に、前記第１要素に対して当該第２操作に対応する処理を実行する要素処理手段
として機能させるためのプログラム。
【発明の詳細な説明】
【技術分野】
【０００１】
本発明は、情報処理装置及びプログラムに関する。
【背景技術】
【０００２】
特許文献１には、入力板に対する入力ペンの接触を検知すると入力点の位置座標を求め、操作内容等を選択するためのアイコンを入力点の近傍に表示し、入力点の移動に伴ってアイコンを移動させる技術について記載されている。
【先行技術文献】
【特許文献】
【０００３】
【特許文献１】特開平８−３２０７５５号公報
【発明の概要】
【発明が解決しようとする課題】
【０００４】
本発明は、表示領域に表示されている要素を指定する操作を容易にすることを目的とする。
【課題を解決するための手段】
【０００５】
請求項１に係る発明は、１つ以上の要素を配置した画像を表示装置の表示領域に表示する表示手段と、前記表示領域に対する操作を検出する検出手段と、前記表示領域のうち前記要素が表示されていない背景部の一点を指示点として指し示す操作を含む第１操作が前記検出手段によって検出された場合に、前記第１操作の内容に応じて前記表示領域の全部又は一部である第１領域を設定する設定手段と、前記設定手段によって設定された第１領域に表示されている第１要素に関連する要素情報を、前記第１操作が検出される前の当該第１要素の位置よりも前記指示点に近接した位置に表示する近接表示手段と、前記要素情報に対する第２操作が前記検出手段によって検出された場合に、前記第１要素に対して当該第２操作に対応する処理を実行する要素処理手段とを有する情報処理装置である。
【０００６】
請求項２に係る発明は、請求項１に記載の情報処理装置において、前記設定手段は、前記第１操作が前記指示点を移動させる操作を含む場合に、前記指示点の移動経路の始点の位置と前記指示点の移動方向とに基づいて前記第１領域を設定する。
請求項３に係る発明は、請求項１又は２に記載の情報処理装置において、前記設定手段は、前記第１操作が前記指示点を移動させる操作を含まない場合に、前記表示領域の全部を前記第１領域に設定する。
【０００７】
請求項４に係る発明は、請求項３に記載の情報処理装置において、前記近接表示手段は、前記背景部のうち予め条件が対応付けられた第２領域に前記指示点が位置する場合に、当該条件を満たす前記第１要素に関連する要素情報を、当該第１要素の位置よりも前記指示点に近接した位置に表示する。
請求項５に係る発明は、請求項３又は４に記載の情報処理装置において、前記近接表示手段は、前記表示領域に前記要素が複数表示されており、当該複数の要素のいずれかと前記指示点との距離が閾値以下である場合に、前記指示点との距離が閾値以下である第２要素の属性に対応する前記第１要素に関連する要素情報を、当該第１要素の位置よりも前記指示点に近接した位置に表示する。
【０００８】
請求項６に係る発明は、請求項１乃至５のいずれかに記載の情報処理装置において、前記近接表示手段は、予め定められた規則に従って前記要素情報を前記表示領域に配置する。
請求項７に係る発明は、請求項１乃至６のいずれかに記載の情報処理装置において、前記近接表示手段は、予め定められた条件を満たす前記要素情報の外観を変化させる。
【０００９】
請求項８に係る発明は、請求項１乃至７のいずれかに記載の情報処理装置において、前記近接表示手段は、複数の前記第１操作が行われ、当該複数の第１操作に対応する前記第１要素が重複した場合に、当該複数の第１操作の数に対応する前記要素情報の各々を、前記第１要素の位置よりも当該複数の第１操作の指示点の各々に近接した位置に表示する。
【００１０】
請求項９に係る発明は、前記表示装置を有する請求項１乃至８のいずれかに記載の情報処理装置である。
請求項１０に係る発明は、コンピュータを、１つ以上の要素を配置した画像を表示装置の表示領域に表示する表示手段と、前記表示領域に対する操作を検出する検出手段と、前記表示領域のうち前記要素が表示されていない背景部の一点を指示点として指し示す操作を含む第１操作が前記検出手段によって検出された場合に、前記第１操作の内容に応じて前記表示領域の全部又は一部である第１領域を設定する設定手段と、前記設定手段によって設定された第１領域に表示されている第１要素に関連する要素情報を、前記第１操作が検出される前の当該第１要素の位置よりも前記指示点に近接した位置に表示する近接表示手段と、前記要素情報に対する第２操作が前記検出手段によって検出された場合に、前記第１要素に対して当該第２操作に対応する処理を実行する要素処理手段として機能させるためのプログラムである。
【発明の効果】
【００１１】
請求項１、９及び１０に係る発明によれば、本構成を有しない場合と比べて、表示領域に表示されている要素を指定する操作を容易にすることができる。
請求項２に係る発明によれば、本構成を有しない場合と比べて、表示領域の一部を第１領域に設定する操作を容易にすることができる。
請求項３に係る発明によれば、本構成を有しない場合と比べて、表示領域の全部を第１領域に設定する操作を容易にすることができる。
請求項４に係る発明によれば、本構成を有しない場合と比べて、特定の条件を満たす第１要素に対する操作を容易にすることができる。
請求項５に係る発明によれば、本構成を有しない場合と比べて、特定の属性に対応する第１要素に対する操作を容易にすることができる。
請求項６、７に係る発明によれば、本構成を有しない場合と比べて、第１要素の各々の識別を容易にすることができる。
請求項８に係る発明によれば、複数の第１操作に対応する第１要素が重複した場合であっても、本構成を有しない場合と比べて、要素を指定する操作を容易にすることができる。
【図面の簡単な説明】
【００１２】
【図１】情報処理装置１０の外観を示す図。
【図２】情報処理装置１０のハードウェア構成を示す図。
【図３】情報処理装置１０の機能構成を示す図。
【図４】表示領域１５ａを示す図。
【図５】近接表示処理後の要素情報の配置を示す図。
【図６】第１領域の設定例を示す図。
【図７】近接表示処理後の要素情報の配置を示す図。
【図８】第１領域の設定例を示す図。
【図９】近接表示処理後の要素情報の配置を示す図。
【図１０】要素の階層化を示す図。
【図１１】情報処理装置１０の動作を示す流れ図。
【図１２】第２領域を示す図。
【図１３】近接表示処理後の要素情報の配置を示す図。
【図１４】近接表示処理後の要素情報の配置を示す図。
【図１５】近接表示処理後の要素情報の配置を示す図。
【図１６】近接表示処理後の要素情報の配置を示す図。
【図１７】近接表示処理後の要素情報の配置を示す図。
【図１８】近接表示処理後の要素情報の配置を示す図。
【図１９】近接表示処理後の要素情報の配置を示す図。
【図２０】第１領域の設定例を示す図。
【図２１】近接表示処理後の要素情報の配置を示す図。
【図２２】第１領域の設定例を示す図。
【発明を実施するための形態】
【００１３】
＜実施形態の構成＞
図１は、情報処理装置１０の外観を示す図である。図２は、情報処理装置１０のハードウェア構成を示す図である。情報処理装置１０は、タッチパネル式のＧＵＩ（Graphical User Interface）を備えたコンピュータである。情報処理装置１０は、制御部１１、記憶部１２、通信部１３、操作部１４、表示部１５及び筐体１９を有する。
【００１４】
制御部１１は、ＣＰＵ（Central Processing Unit）１１ａなどの演算装置とＲＯＭ（Read Only Memory）１１ｂやＲＡＭ（Random Access Memory）１１ｃなどの記憶装置とを有する。
記憶部１２は、ＥＥＰＲＯＭ（Electronically Erasable and Programmable ROM）やＳＲＡＭ（Static Random Access Memory）などの記憶装置を有する。記憶部１２には、ＯＳ（Operating System）やアプリケーションプログラムが記憶されており、制御部１１がこれらのプログラムを実行することによって情報処理装置１０の動作を制御する。
通信部１３は、ＵＳＢ（Universal Serial Bus）や無線ＬＡＮ（Local Area Network）等の通信インターフェースを有する。制御部１１は、操作部１４又は表示部１５で受け付けられた操作に応じて、通信部１３を介して他の情報処理装置との間で通信を行う。
操作部１４は、電源スイッチ等の操作子を有する。
【００１５】
表示部１５は、液晶や有機ＥＬ（Electro-Luminescence）素子などを用いた表示装置である。表示部１５は、タッチパネルの機能を有し、ユーザが表示部１５の表示領域１５ａ上で行った操作を検出し、検出された操作に従って制御部１１が情報処理装置１０を動作させる。
タッチパネルの方式は、静電容量方式、電磁誘導方式、抵抗膜方式、表面弾性波方式、赤外線方式等、いかなる方式でもよいが、本実施形態では、ユーザが表示領域１５ａに指等で触れることによって操作を行う方式（例えば、静電容量方式）のタッチパネルを用いた例を示す。
【００１６】
表示領域１５ａは、例えば外縁が矩形の平面状の領域である。表示領域１５ａの大きさは、どのような大きさでもよい。また、情報処理装置１０は、タッチパネル式のＧＵＩを備えた装置であれば、いかなる形態の装置でもよい。例えば、タブレットＰＣ（Personal Computer）などと呼ばれる、表示領域１５ａの大きさ（対角線の長さ）が数インチから十数インチ程度の装置でもよいし、壁掛け式や床に自立させて使用する数十インチ、百数十インチといった大型の装置でもよい。
【００１７】
図３は、情報処理装置１０の機能構成を示す図である。これらの機能は、制御部１１が記憶部１２に記憶されたＯＳ及びアプリケーションプログラムを実行することによって実現される。
【００１８】
表示手段１０１は、１つ以上の要素を配置した画像を表示部１５の表示領域１５ａに表示する。具体的には、次のとおりである。
記憶部１２には、表示領域１５ａに表示する各要素と、表示領域１５ａ上の各要素の位置とを対応付けたデスクトップデータが記憶される。要素とは、アイコン、ウインドウ等であり、制御部１１は、デスクトップデータに基づいて、これらの要素が配置されたデスクトップを表す画像を表示領域１５ａに表示する。制御部１１は、表示領域１５ａに対する操作に応じてデスクトップデータを更新するとともに表示領域１５ａの画像を更新する。デスクトップデータは、情報処理装置１０の電源が切断された場合でも、記憶部１２に記憶され続ける。
【００１９】
アイコンは、ファイル、フォルダ（ディレクトリと呼ぶ場合もある。）、アプリケーションプログラムの実行ファイル、あるいはこれらへのショートカット（ソフトリンク、エイリアスと呼ぶ場合もある。）等を絵柄で表示したものである。表示領域１５ａには、例えば正方格子の格子点が仮想的に設定され（格子点は表示されない。）、アイコンの中心がいずれかの格子点に位置するように各アイコンが配置される。また、各アイコンは互いに重ならないように配置される。
ウインドウは、要素がフォルダである場合に、当該フォルダを表す枠を表示するとともに、当該フォルダの下位の階層の要素として当該フォルダに関連付けられている要素（フォルダ、実行ファイル、ショートカット等）のアイコンを当該枠内に表示したものである。
【００２０】
次に、検出手段１０２について説明する。
検出手段１０２は、表示領域１５ａに対する操作を検出する。具体的には、次のとおりである。
本実施形態における主な操作は、スライド、タップ、ダブルタップである。
スライドは、表示領域１５ａの背景部に指を触れたまま指を移動させる操作である。背景部とは、表示領域１５ａのうち、要素が表示されていない部分である。スライドが行われた場合の情報処理装置１０の動作については、後述する。
【００２１】
タップは、表示領域１５ａを指で叩く操作である。例えば、要素をタップすると、制御部１１は、当該要素が選択されたと認識し、当該要素の表示状態（色調、明るさ等）を変化させる。
ダブルタップは、定められた時間内に２回のタップを行う操作である。要素に対してダブルタップが行われた場合の処理は、要素の種類に応じて予め定められている。例えば、要素がファイルのアイコンである場合、制御部１１は、当該ファイルの作成に用いられたアプリケーションプログラムを実行し、当該ファイルの内容を表示する。要素が実行ファイルのアイコンである場合、制御部１１は、当該実行ファイルを実行する。背景部に対してダブルタップが行われた場合の処理については後述する。
【００２２】
表示部１５は、表示領域１５ａに指が触れている間、指の接触位置を表す接触位置情報を制御部１１に定期的に出力する。制御部１１は、接触位置情報に基づいて操作の内容を特定する。例えば、指が表示領域１５ａに継続して触れ続けている時間の長さが第１閾値以下である場合、操作がタップであると特定する。連続する２回のタップ間の時間の長さが第２閾値以下である場合、操作がダブルタップであると特定する。
指が背景部に継続して触れ続けている時間の長さが第１閾値を越えた場合、制御部１１は、接触位置情報から指の移動速度を算出し、移動速度が第３閾値を超えているならば、スライドが行われていると判断し、移動速度が第３閾値を越えている状態から第３閾値以下に変化した場合に、スライドが停止されたと判断する。
【００２３】
次に、設定手段１０３と近接表示手段１０４について説明する。
設定手段１０３は、表示領域１５ａのうち要素が表示されていない背景部の一点を指示点として指し示す操作を含む第１操作が検出手段１０２によって検出された場合に、第１操作の内容に応じて表示領域１５ａの全部又は一部である第１領域を設定する。
近接表示手段１０４は、設定手段１０３によって設定された第１領域に表示されている第１要素に関連する要素情報を、第１操作が検出される前の第１要素の位置よりも指示点に近接した位置に表示する。近接表示手段１０４による上記の処理を、近接表示処理と呼ぶ。具体的には、次のとおりである。
【００２４】
本実施形態における第１操作は、背景部に対するダブルタップとスライドとのいずれかである。ダブルタップは、第１操作が指示点を移動させる操作を含まない場合に相当し、スライドは、第１操作が指示点を移動させる操作を含む場合に相当する。
図４は、表示領域１５ａを示す図である。表示領域１５ａに配置されている矩形が要素を表す。各要素の矩形内の数字（１番から１７番）は、本説明において各要素を区別するために便宜上割り当てた番号であり、実際には、各要素の種類を表す絵柄と、各要素に固有の名前が表示される。各要素の種類を表す絵柄は、要素がファイルの場合、当該ファイルを作成するのに用いられたアプリケーションプログラムを象徴する絵柄であり、要素がフォルダの場合、フォルダを象徴する絵柄であり、要素が実行ファイルである場合、当該実行ファイルのアプリケーションプログラムを象徴する絵柄である。要素がファイルである場合、当該ファイルの内容を表す画像を縮小した絵柄（サムネール）を表示してもよい。各要素に固有の名前は、ファイル名、フォルダ名、アプリケーションプログラム名などである。
【００２５】
図５は、近接表示処理後の要素情報の配置を示す図である。点Ａは、指Ｆによって指し示された指示点である。背景部に対するダブルタップが検出された場合、制御部１１は、表示領域１５ａの全部を第１領域に設定する。従って、表示領域１５ａに表示されているすべての要素が第１要素、すなわち、近接表示手段１０４による近接表示処理の対象となり、これらの第１要素に関連する要素情報が、第１要素の位置よりも指示点に近接した位置に表示される。
図５の例では、要素情報は、第１要素の複製である。この例では、第１要素は、近接表示処理前と同じ位置に表示されているが、第１要素を表示しないようにしてもよい。また、第１要素自体を近接表示処理前の位置よりも指示点に近接した位置に移動させてもよい。また、第１要素と要素情報の表示状態を異ならせるようにしてもよい。例えば、近接表示処理前よりも第１要素が暗く見えるようにしてもよい。
【００２６】
近接表示処理の際、近接表示手段１０４は、予め定められた規則に従って要素情報を表示領域１５ａに配置する。規則とは、要素情報の配置の形態等を定めた規則である。要素情報の配置の形態は、例えば、マトリックス状、放射状、円弧状などがあり得る。図５の例は、要素情報をマトリックス状に並べて配置した例である。また、この規則は、要素情報の配置の形態に加えて、要素情報を並べる順序を定めたものでもよい。要素情報を並べる順序は、例えば、複製元の第１要素の更新日時の順、複製元の第１要素の名前の順（アルファベット順、五十音順など）などがあり得る。
また、要素情報として、第１要素を横長に変形した要素を生成し、この要素を縦方向に整列させるなどして表示してもよい。つまり、本実施形態における要素情報は、第１要素に基づいて生成された要素である。
【００２７】
図６は、第１領域の設定例を示す図である。この例は、始点Ａから終点Ｂに向かってスライドを行った例である。破線ＣＤは、始点Ａを通り線分ＡＢと交わる仮想的な垂線である。制御部１１は、垂線ＣＤよりも指示点の移動方向後方の領域を第１領域に設定する。この場合、１２番から１７番までの要素が第１要素となる。
図７は、近接表示処理後の要素情報の配置を示す図である。制御部１１は、第１要素の位置よりも指示点Ｂに近接した位置に要素情報を表示する。スライドによる近接表示処理の場合も、ダブルタップの場合と同様に、近接表示手段１０４は、予め定められた規則に従って要素情報を表示領域１５ａに配置する。
【００２８】
図８は、第１領域の設定例を示す図である。図９は、近接表示処理後の要素情報の配置を示す図である。図６の例では、指示点の移動方向が横方向であったのに対して、この例では、指示点の移動方向が縦方向である。この場合、１、２、６、７、１０、１１、１２、１３、１５、１６番の要素が第１要素となる。
なお、スライドの方向は、いかなる方向でもよい。
【００２９】
要素処理手段１０５は、要素情報に対する第２操作が検出手段１０２によって検出された場合に、第１要素に対して第２操作に対応する処理を実行する。本実施形態では、第２操作に対応する処理の一例として、要素の階層化処理の例を示す。
第２操作は、要素情報のいずれかに対するダブルタップである。第２操作が検出された場合、制御部１１は、フォルダを作成し、このフォルダを表すウインドウを表示領域１５ａに表示し、要素情報をこのウインドウに格納する。ここで、視覚上は、要素情報がフォルダの下位の要素として関連付けられるが、要素情報が第１要素の複製である場合、実際には、制御部１１は、第１要素の上位の階層の要素としてフォルダを作成して関連付ける。
図１０は、要素の階層化を示す図である。この例は、図９に示す要素情報のいずれかに対してダブルタップが行われた場合を示しており、フォルダ１８に要素情報が格納されている。
【００３０】
次に、消去手段１０６について説明する。
消去手段１０６は、近接表示手段１０４による近接表示処理を取り消す第３操作が検出手段１０２によって検出された場合に、要素情報を表示領域から消去する。第３操作は、例えば、要素情報を表示させた状態でユーザが背景部をタップする操作である。第３操作が検出された場合に、制御部１１は、要素情報を表示領域１５ａから消去する。要素情報を消去しても、第１要素は消去されない。
【００３１】
＜実施形態の動作＞
図１１は、情報処理装置１０の動作を示す流れ図である。情報処理装置１０に電源が投入されると、制御部１１がＯＳ及びアプリケーションプログラムを実行し、この流れ図に従って情報処理装置１０を制御する。
【００３２】
ステップＳ１０１において、制御部１１が、検出手段１０２としての機能により、第１操作が検出されたか否かを定期的に判定し、第１操作が検出された場合（ステップＳ１０１：ＹＥＳ）には、ステップＳ１０２に進む。
ステップＳ１０２において、制御部１１が、設定手段１０３としての機能により、第１操作がスライドであるか否かを判定し、第１操作がスライドである場合（ステップＳ１０２：ＹＥＳ）には、ステップＳ１０３に進み、第１操作がスライドでない、すなわち、ダブルタップである場合（ステップＳ１０２：ＮＯ）には、ステップＳ１０４に進む。
【００３３】
ステップＳ１０３において、制御部１１が、設定手段１０３としての機能により、スライドの始点の位置とスライドの方向とに基づいて第１領域を設定する。
ステップＳ１０４において、制御部１１が、設定手段１０３としての機能により、表示領域１５ａの全部を第１領域に設定する。
ステップＳ１０５において、制御部１１が、近接表示手段１０４としての機能により、要素情報を表示する。
【００３４】
ステップＳ１０６において、制御部１１が、検出手段１０２としての機能により、第２操作が検出されたか否かを判定し、第２操作が検出された場合（ステップＳ１０６：ＹＥＳ）には、ステップＳ１０７に進み、第２操作が検出されなかった場合（ステップＳ１０６：ＮＯ）には、ステップＳ１０８に進む。
ステップＳ１０８において、制御部１１が、検出手段１０２としての機能により、第３操作が検出されたか否かを判定し、第３操作が検出された場合（ステップＳ１０８：ＹＥＳ）には、ステップＳ１０９に進み、第３操作が検出されなかった場合（ステップＳ１０８：ＮＯ）には、ステップＳ１０６に戻る。第２操作と第３操作のいずれかが検出されるまで、制御部１１は、ステップＳ１０６とＳ１０８の判定を定期的に繰り返す。
ステップＳ１０７において、制御部１１が、要素処理手段１０５としての機能により、第１要素に対して第２操作に対応する処理を実行する。
ステップＳ１０９において、制御部１１が、消去手段１０６としての機能により、要素情報を表示領域１５ａから消去する。
【００３５】
＜変形例＞
上記の実施形態を以下に示す変形例のように変形してもよい。また、実施形態と変形例を組み合わせてもよい。また、複数の変形例を組み合わせてもよい。
【００３６】
＜変形例１＞
実施形態では、ダブルタップが検出された場合に表示領域１５ａの全部を第１領域に設定する例を示したが、特定の条件を満たす要素のみを第１要素とするようにしてもよい。例えば、背景部のうち予め条件が対応付けられた第２領域に指示点が位置する場合に、近接表示手段１０４が、当該条件を満たす第１要素に関連する要素情報を、当該第１要素の位置よりも指示点に近接した位置に表示するようにしてもよい。具体的には、次のとおりである。
【００３７】
図１２は、第２領域を示す図である。表示領域１５ａには、予め条件が対応付けられた複数の第２領域１５ａ１、１５ａ２、１５ａ３が設定されており、第２領域の輪郭と、条件を表す文字列が表示されている。なお、第２領域の輪郭はどのような形状でもよい。また、第２領域は単数でもよい。
第２領域１５ａ１に対応付けられた条件は、ＦＡＸ文書、すなわち、インターネットファクシミリで受信した文書という条件である。ＦＡＸ文書のデータ形式は、ＰＤＦ（Portable Document Format）又はＴＩＦＦ（Tagged Image File Format）であり、当該文書がＦＡＸ文書であることを示す文字列が予めファイル名に挿入されている。第２領域１５ａ１がダブルタップされた場合、制御部１１は、表示領域１５ａに表示されている要素のうち拡張子が「.pdf」又は「.tif」である要素を抽出し、抽出された要素のうちＦＡＸ文書をファイル名から特定し、特定されたＦＡＸ文書を第１要素とする。その結果、ＦＡＸ文書のアイコンの複製が生成され、複製のアイコンが第２領域１５ａ１に表示される。
図１３は、近接表示処理後の要素情報の配置を示す図である。この例は、１乃至４番の要素がＦＡＸ文書である場合の例である。
【００３８】
第２領域１５ａ２に対応付けられた条件は、スキャン文書、すなわち、文書の原稿を光学的に読み取って生成された画像データという条件である。スキャン文書のデータ形式は、ＴＩＦＦである。第２領域１５ａ２がダブルタップされた場合、制御部１１は、表示領域１５ａに表示されている要素から拡張子が「.tif」である要素を抽出し、抽出された要素のうちＦＡＸ文書以外の文書であるスキャン文書をファイル名から特定し、特定されたスキャン文書を第１要素とする。その結果、スキャン文書のアイコンの複製が生成され、複製のアイコンが第２領域１５ａ２に表示される。
【００３９】
第２領域１５ａ３に対応付けられた条件は、最近使ったファイル、すなわち、アクセス（閲覧、更新など）された日時の新しい順に予め定められた数（例えば、１０個）のファイルという条件である。第２領域１５ａ３がダブルタップされた場合、制御部１１は、表示領域１５ａに表示されている要素からアクセスされた日時の新しい順に１０個のファイルを抽出し、抽出されたファイルを第１要素とする。その結果、最近使ったファイルのアイコンの複製が生成され、複製のアイコンが第２領域１５ａ３に表示される。
【００４０】
＜変形例２＞
表示領域１５ａに要素が複数表示されており、当該複数の要素のいずれかと指示点との距離が閾値以下である場合に、近接表示手段１０４が、指示点との距離が閾値以下である第２要素の属性に対応する第１要素に関連する要素情報を、第１要素の位置よりも指示点に近接した位置に表示するようにしてもよい。具体的には、次のとおりである。
例えば、図４のように配置された要素のうち、１４番の要素の近傍でダブルタップが行われた場合、制御部１１は、この要素の属性に対応する第１要素の複製を生成する。要素の近傍とは、当該要素からの距離が閾値以下である背景部の一点である。要素上でのダブルタップは、別の動作（ファイルやフォルダを開く動作、実行ファイルの実行など）に対応付けられているから、要素上でのダブルタップは除く。要素の属性とは、要素の種類、要素の更新日時など、要素を特徴付けるあらゆるものを含む。
図１４は、近接表示処理後の要素情報の配置を示す図である。例えば、１４番の要素がスキャン文書であるとすると、制御部１１は、１４番の要素以外のスキャン文書を特定し、特定されたスキャン文書のアイコンの複製を生成し、複製のアイコンを複製元のアイコンよりも１４番の要素に近接した位置に表示する。この例では、５乃至９番の要素がスキャン文書である。
【００４１】
＜変形例３＞
実施形態では、近接表示手段１０４が予め定められた規則に従って要素情報を表示領域１５ａに配置する例を示したが、どのような規則で要素情報を配置してもよい。
図１５は、近接表示処理後の要素情報の配置を示す図である。この例は、要素を種類で分類し、種類毎に要素をマトリックス状に並べて配置した例である。なお、図１５乃至１９では、第１要素の図示は省略した。
表示領域１５ａは、左からＦＡＸ文書、スキャン文書、フォルダに対応する領域に分割され、領域の境界を示す線分と、各領域に対応付けられた種類の名称が表示される。なお、この線分と名称は表示されなくてもよい。また、要素がファイル（この例では、ＦＡＸ文書、スキャン文書）である場合に、当該ファイルの内容を表す画像を縮小したサムネールを表示してもよい。
【００４２】
図１６は、近接表示処理後の要素情報の配置を示す図である。この例は、表示領域１５ａを放射状に延びる境界線で分割した例である。
図１７は、近接表示処理後の要素情報の配置を示す図である。この例は、要素を種類毎に放射状に並べて配置した例である。また、この例は、互いに隣接する要素同士の一部を重ねて表示した例である。要素を並べる順序は、例えば、要素の更新日時の順、要素の名前（ファイル名、フォルダ名など）の順（アルファベット順、五十音順など）などである。
なお、要素情報を不規則に配置してもよい。
【００４３】
＜変形例４＞
近接表示手段１０４が、予め定められた条件を満たす第１要素の外観を変化させるようにしてもよい。
図１８は、近接表示処理後の要素情報の配置を示す図である。この例では、第１要素がスキャン文書であることが条件であり、スキャン文書のサムネールを表示するとともに、サムネールを拡大して表示した例である。
【００４４】
＜変形例５＞
実施形態では、第２操作に対応する処理の例として、要素の階層化処理の例を示したが、第２操作に対応する処理はいかなる処理でもよい。例えば、第２操作として要素情報に対するタップが行われた場合に、タップされた要素情報が選択されたと制御部１１が認識する。この場合、制御部１１は、タップされた要素情報の複製元である第１要素をハイライト表示するなどして外観を変化させ、要素情報を消去する（選択処理）。
【００４５】
また、要素情報に対してタップが行われたならば上記の選択処理を実行し、ダブルタップが行われたならば階層化処理を行うというように、第２操作の内容に応じて第１要素に対する処理を異ならせるようにしてもよい。
また、近接表示処理を行った状態で、予め定められた種々の第２操作のメニューを表示領域１５ａに表示し、ユーザがメニューから第２操作を選択するようにしてもよい。
【００４６】
＜変形例６＞
複数の第１操作が行われ、当該複数の第１操作に対応する第１要素が重複した場合に、近接表示手段１０４が、当該複数の第１操作の数に対応する要素情報の各々を、第１要素の位置よりも複数の第１操作の指示点の各々に近接した位置に表示するようにしてもよい。
図１９は、近接表示処理後の要素情報の配置を示す図である。この例では、図４のように要素が配置された状態で、別々のユーザにより互いに異なる２つの指示点Ａ、Ｂで相前後してダブルタップが行われた場合の例である。この場合、１乃至１７番の要素の組の複製が２組生成されるとともに、それぞれが複製元の要素よりも指示点Ａ、Ｂに近接した位置に表示される。
【００４７】
＜変形例７＞
実施形態では、始点Ａを通り線分ＡＢ（Ｂは終点）と交わる垂線ＣＤよりも指示点の移動方向後方の領域を第１領域に設定する例を示したが、他の領域を第１領域に設定するようにしてもよい。
図２０は、第１領域の設定例を示す図である。図２１は、近接表示処理後の要素情報の配置を示す図である。この例では、スライドの方向に延びる幅Ｗの帯状の領域が第１領域に設定される。この場合、１０番、１１番の要素が第１要素となる。
また、第１要素に向かってスライドを行うようにしてもよい。例えば、図２０において点Ｂを始点として終点Ａまでスライドを行った場合に、１０番、１１番の要素が第１要素となる。
【００４８】
図２２は、第１領域の設定例を示す図である。この例では、スライド方向後方において線分ＡＢの延長線の両側に角度θずつ広がる扇形の領域が第１領域に設定される。この場合、１０番、１１番の要素が第１要素となる。この場合も、第１要素に向かってスライドを行うようにしてもよい。
＜変形例８＞
ダブルタップの指示点からの距離が閾値以上である領域を第１領域に設定するようにしてもよい。あるいは、ダブルタップの指示点からの距離が閾値以下である領域を第１領域に設定するようにしてもよい。
【００４９】
＜変形例９＞
実施形態では、要素情報が、第１要素の複製等、第１要素に基づいて生成された要素である例を示したが、要素情報は、第１要素に関連する情報であれば、いかなる情報でもよい。例えば、第１要素がどの要素であるかを示す情報を要素情報として表示してもよい。具体的には、図５の例の場合、第１要素の複製の代わりに、第１要素のファイル名、フォルダ名、アプリケーションプログラム名等を列挙した文字列を表示してもよい。あるいは、図１５乃至１８の例の場合、ＦＡＸ文書、スキャン文書、フォルダの各領域に対応するファイル名やフォルダ名を列挙した文字列を各領域に表示してもよい。
【００５０】
＜変形例１０＞
実施形態では、ユーザが表示領域１５ａに触れることによって第１要素を指し示す例を示したが、表示領域１５ａに触れずに第１要素を指し示す方式を用いてもよい。例えば、赤外線等を用いて指やペンの位置を特定する方式でもよいし、指、顔、眼球等を撮影し、画像を解析することによって指、顔、眼球等が指し示す位置を特定する方式でもよい。
実施形態では、タッチパネルを用いた例を示したが、マウスやジョイスティックによって第１要素を指し示す方式でもよい。
【００５１】
＜変形例１１＞
実施形態では、情報処理装置１０の例として、筐体１９にすべてのハードウェアが設けられた例を示したが、表示部１５が設けられた筐体と、表示部１５以外のハードウェアが設けられた筐体とがヒンジで結合されたノート型のＰＣでもよい。また、情報処理装置１０が表示部１５以外のハードウェアを備え、情報処理装置１０と表示部１５（表示装置）とが信号線又は無線通信手段によって接続された構成でもよい。
【００５２】
＜変形例１２＞
実施形態では、情報処理装置１０の制御部１１がアプリケーションプログラムを実行することによって上述の機能を実現する例を示したが、実施形態と同様の機能をハードウェアで情報処理装置１０に実装するようにしてもよい。また、このプログラムを、光記録媒体、半導体メモリ等、コンピュータで読み取り可能な記録媒体に記録して提供し、この記録媒体からプログラムを読み取って情報処理装置１０の記憶部１２に記憶させるようにしてもよい。また、このプログラムを電気通信回線経由で提供してもよい。
【符号の説明】
【００５３】
１０…情報処理装置、１１…制御部、１１ａ…ＣＰＵ、１１ｂ…ＲＯＭ、１１ｃ…ＲＡＭ、１２…記憶部、１３…通信部、１４…操作部、１５…表示部、１５ａ…表示領域、１９…筐体、１０１…表示手段、１０２…検出手段、１０３…設定手段、１０４…近接表示手段、１０５…要素処理手段、１０６…消去手段
【図１】
2014085792.tif 000003
【図２】
2014085792.tif 000004
【図３】
2014085792.tif 000005
【図４】
2014085792.tif 000006
【図５】
2014085792.tif 000007
【図６】
2014085792.tif 000008
【図７】
2014085792.tif 000009
【図８】
2014085792.tif 000010
【図９】
2014085792.tif 000011
【図１０】
2014085792.tif 000012
【図１１】
2014085792.tif 000013
【図１２】
2014085792.tif 000014
【図１３】
2014085792.tif 000015
【図１４】
2014085792.tif 000016
【図１５】
2014085792.tif 000017
【図１６】
2014085792.tif 000018
【図１７】
2014085792.tif 000019
【図１８】
2014085792.tif 000020
【図１９】
2014085792.tif 000021
【図２０】
2014085792.tif 000022
【図２１】
2014085792.tif 000023
【図２２】
2014085792.tif 000024